Podtech/llm-jp-corpus-v4-ja_patent huggingface dataset:
(57)【要約】      （修正有）【課題】小銭入れにペットボトルのキャップの開栓機能を持たせたペットボトルのキャップ開栓機能付小銭入れを提供する。【解決手段】上部に設けられたフタ又はファスナーによって開閉する小銭入れ１の後面１ｂ外側にすべり止め３、４を貼り付け、小銭入れ１の後面１ｂ外側に、裏面にすべり止め３、４を貼りつけたシート２をその上下を解放にして左右を固定する状態に取り付ける。【選択図】図１
0003200437.tif 000002
【実用新案登録請求の範囲】
【請求項１】
上部に設けられたフタ又はファスナーによって開閉する小銭入れの後面外側にすべり止めを貼り付け、該小銭入れの後面外側に、裏面にすべり止めを貼りつけたシートをその上下を解放にして左右を固定する状態に取り付けた、ペットボトルの開栓機能付小銭入れ。
【考案の詳細な説明】
【技術分野】
【０００１】  本考案は、小銭入れにペットボトルのキャップ開栓機能を設けた、ペットボトルのキャップ開栓機能付小銭入れに関するものである。
【背景技術】
【０００２】
【先行技術文献】
【特許文献】
【０００３】
【特許文献１】実用新案登録第３１８９６３７号
【特許文献２】実用新案登録第３１７１９２１号
【考案の概要】
【考案が解決しようとする課題】
【０００４】  ペットボトルのキャップを初めて開栓しようとするとき、キャップが固く閉まっていて非力な人や障害のある人にはなかなか開栓できない。
そこで、非力な人や障害のある人でも容易に開栓できるような器具が考案されている。まず、実用新案登録第３１８９６３７号のキャップ開栓具においては、薄板状のものを把手のついた所定の形に加工し、その真中に開けた穴のサイズとギザをペットボトルのキャップについているギザの形とサイズに合わせ、該キャップ開栓具の穴部をペットボトルのキャップにはめ込み延長上にある把手を持って回せば少ない力でキャップが開栓できるというものである。
また、実用新案登録第３１７１９２１号のキャップオープナーにおいては、二又状に開いた器具の二又の内側部分にペットボトルのキャップに合わせたギザを設け、二又のギザをキャップのギザに押し当てて回せば少ない力で開栓できるというものである。
実用新案登録第３１８９６３７号においても実用新案登録第３１７１９２１号においてもそれぞれ特徴があり、優れたものと言える。
しかしそれらの器具は開栓専用として、外出時においてはその器具を持ち歩くことが必要である。
【課題を解決するための手段】
【０００５】  本考案においては、普段持ち歩いている小銭入れにペットボトルのキャップ開栓機能を持たせたもので、別途キャップ開栓具を持ち歩く必要がない。
小銭入れの後面外側にすべり止めを貼り付け、内側にすべり止めを張り合わせたシートをその上下部分を開放にして左右部分を小銭入れの後面外側に取り付けた  ペットボトルのキャップ開栓機能付小銭入れである。非力な人でも本考案を用いることにより少ない力でペットボトルのキャップを開栓することができる。
【考案の効果】
【０００６】  本考案は、非力な人でも手に障碍のある人でも少ない力でペットボトルのキャップを開栓することができる。
また、普段持ち歩いている小銭入れにペットボトルのキャップ開栓機能を持たせたので別途キャップ開栓具を持ち歩く必要がない。
【図面の簡単な説明】
【０００７】
【図１】本考案の正面図及びその断面図
【図２】本考案の平面図
【図３】シートを広げてペットボトルのキャップを差し入れた状態の平面図
【図４】シートを広げてペットボトルのキャップを差し入れた状態の正面図
【考案を実施するための形態】
【０００８】  小銭入れ（１）の後面（１ｂ）外側にすべり止めａ（３）を貼り付け、該小銭入れ（１）の後面（１ｂ）外側に、すべり止めｂ（４）を裏面に貼り付けたシート（２）を、その上下を開放にして左右の縦部分を固定して取付ける。
本考案を使用するときは、すべり止めａ（３）とすべり止めｂ（４）とを手で開き、その間にペットボトルのキャップ（５）を挟んで指に力を入れながら回すと、より少ない力で開栓することができる。
【符号の説明】
【０００９】１    小銭入れ
１ａ  前面
１ｂ  後面
２    シート
３    すべり止めａ
４    すべり止めｂ
５    ペットボトルのキャップ
６    ペットボトル
【図１】
0003200437.tif 000003
【図２】
0003200437.tif 000004
【図３】
0003200437.tif 000005
【図４】
0003200437.tif 000006
(57)【要約】      （修正有）【課題】身近な生活空間やロッカー等密閉空間を快適にするための快適空間形成具を提供する。【解決手段】両面粘着シート１の上面にネット状シート２を貼着し、その上から環境快適化機能材３を付着させ、下面に保護用剥離シート４を貼着する。その際、ネット状シート２の厚みの段差により横連通空隙２ｂが形成されるように環境快適化機能材３の付着した両面粘着シート１に貼着されたネット状シート２の上から、無地又は広告や注意書きなどの表示５を印刷したカバーシート６を貼着する。【選択図】図２
0003200424.tif 000002
【実用新案登録請求の範囲】
【請求項１】
両面粘着シートの上面にネット状シートを貼着し、その上から環境快適化機能材を付着させ、下面に保護用剥離シートを貼着したことを特徴とする快適空間形成具。
【請求項２】
厚みの段差により横連通空隙が形成されるように、ネット状シートの上面にカバーシートを貼着した請求項１記載の快適空間形成具。
【請求項３】
環境快適化機能材が、除菌、防カビ、防虫等、有害生物防御機能を有するものである請求項１又は請求項２記載の快適空間形成具。
【請求項４】
環境快適化機能材が、芳香材である請求項１又は請求項２記載の快適空間形成具。
【請求項５】
環境快適化機能材が、森林浴材である請求項１又は請求項２記載の快適空間形成具。
【請求項６】
環境快適化機能材が、脱臭ないし吸着材である請求項１又は請求項２記載の快適空間形成具。
【考案の詳細な説明】
【技術分野】
【０００１】この考案は、身近な生活空間やロッカー等密閉空間を快適にするための快適空間形成具に関する。
【背景技術】
【０００２】身近な生活空間などを快適にするための装置やグッズには、空調をはじめとして実に様々なものが既に出回っていることは周知の通りである。それらのなかで、比較的コンパクトなものとしては、例えば次亜塩素ナトリウム水溶液をスプレーするもの、或いはそれを特殊な容器に収めて少しずつ発散させるもの、他に芳香剤や防虫剤等を使うものもある。
【考案の開示】
【考案が解決しようとする課題】
【０００３】上記のような在来のものは、何れも立体的でかさ張るために、設置において大きな制約があり、コストも高くつき、また広告や一般的な注意事項を知らせるための表示を設けにくいという問題点があった。【０００４】本考案はかかる現状を打開することによって、従来は対応が難しかった分野にまで適用範囲を広げて快適空間作りを実現できるようにすることを課題とする。
【課題を解決するための手段】
【０００５】両面粘着シート１の上面にネット状シート２を貼着し、その上から環境快適化機能材３を付着させ、下面に保護用剥離シート４を貼着し、これをもって本考案の快適空間形成具の基本形態とする。ここにおける上下方向は、当該シートを水平に置いたときに表になる側を上とする。【０００６】本考案におけるネット状シート２とは、所定の厚みを有するシート状物において多数の貫通空隙２ａが全面的に形成されていることによりネット状となっているものを言うのであり、通常の網類の他に、既に製品化されている樹脂一体成型から成る略ネット状シートも該当する。【０００７】環境快適化機能材３としては、先ず細菌、カビ、害虫等、有害生物の被害を防ぐための、既に製品化されている各種除菌、防カビ、防虫等の機能を有する素材が該当する。ちなみに次亜塩素酸ナトリウム水溶液を、既に貼着されたネット状シート２の上から塗布すると、乾燥後は次亜塩素されたナトリウムの結晶が両面粘着シート１の上面における貫通空隙２ａ箇所の露出部に付着して残留し、その機能を発揮することが判明した。またネット状シート２上に塗布された分も、その材質によっては同じく同素材が付着・残留した。【０００８】他に環境快適化機能材３として、アロマテラピーのような精神安定機能を有するとされる各種芳香剤が挙げられる。よく知られたものとして、桧、柑橘類、ローズ、ラベンダーなどの香り成分がある。【０００９】またフィトンチッドは、いわゆる森林浴の効果の素とされるものであって、抗菌や芳香の機能も加わり、本考案の環境快適化機能材３に該当する。なお、桧の揮発成分であるヒノキチオールにもその要素がある。【００１０】さらに多孔質のゼオライトなど吸着・脱臭機能を有するものも、同じく本考案の環境快適化機能材３に該当する。【００１１】更に、本考案における環境快適化機能材３の付着した両面粘着シート１の上に貼着しているネット状シート２の上に、広告や注意書き（マークやイラスト）など適宜の表示５を施したカバーシート６を貼着することができるが、その際、ネット状シート２の厚みの段差により横連通空隙２ｂが形成されるようにしておけば、カバーシート６を全面貼着しても、その内側の環境快適化機能材３の揮発成分は、周辺こぐち部から発散して効果を発揮できることが判明した。従って広告等の表示スペースを上面全体に広く獲得できることになる。
【考案の効果】
【００１２】このように本考案によれば、従来のような立体的でかさ張るものと異なり、シート状であるためワッペン感覚で広範にロッカーや鞄内部にも手軽にかつ安定的に設置でき、しかも甚だ低コストで広告などの表示スペースを広く確保できるなどの効果がある。
【考案を実施するための最良の形態】
【００１３】予め裏面のみに保護用剥離シート４が貼着された両面粘着シート１の粘着面に、低発泡ウレタンからなる多数の約４ｍｍ四方で約２ｍｍ厚の四角片の四隅を互いに一体的に連ね、その連接の厚みを薄くして段差が生じることにより横連通空隙２ｂが形成されるようにしたネット状シート２を貼着し、その上から次亜塩素酸ナトリウムの約１％水溶液を塗布して乾燥させ、更にその上から広告等の印刷されたカバーシート６を全面貼着する。あるいはこれを無地や抽象柄にして任意に書き込みができるようにする。非使用時はポリプロピレンのような密閉袋に収納するが、使用時はこれを取り出して保護用剥離シート４を剥がし、ロッカーなどの内壁面に貼着する。他の機能材の場合もこれに準じるが、本考案はかかる例に限定されるものではない。
【産業上の利用可能性】
【００１４】本考案には十分なニーズがあるとともに甚だ低コストで量産できるから、産業上の利用可能性は十分にある。
【図面の簡単な説明】
【００１５】
【図１】本考案一例の平面図
【図２】本考案一例の拡大断面図
【符号の説明】
【００１６】  １……両面粘着シート
２……ネット状シート
２ａ……貫通空隙
２ｂ……横連通空隙
３……環境快適化機能材
４……保護用剥離シート
５……表示
６……カバーシート
【図１】
0003200424.tif 000003
【図２】
0003200424.tif 000004
(57)【要約】      （修正有）【課題】洗濯バサミに物が引っ掛かったり、絡んだりするのを防止する袋状のカバーを提供する。【解決手段】洗濯バサミ７に物が引っ掛かったり、絡んだりするのを防止する為に底部にチャック４やボタン若しくは厚手の帯の底部の開口部を開閉できるように工夫した袋状のカバー１を洗濯バサミに被せる。【選択図】図２
0003200423.tif 000002
【実用新案登録請求の範囲】
【請求項１】
洗濯バサミが他の洗濯バサミや他の物体と引っ掛かったり絡んだりするのを防止する為に、洗濯バサミに被せる袋状のカバーで、袋の底部にチャックやボタン若しくは厚手の帯等を取り付けて、底部が開閉可能な構造の袋状のカバー。
【請求項２】
請求項１に記載の洗濯バサミに被せるカバーを被せた洗濯バサミ。
【考案の詳細な説明】
【技術分野】
【０００１】
本考案は、洗濯バサミ及び洗濯バサミに被せるカバーに関する。
【背景技術】
【０００２】
洗濯バサミが引っ掛かったり、絡んだりする事の不便さを解決する為に洗濯バサミのつまむ側の端部の形状を工夫して「くの字」に曲げたり、端部を交差させたりする製品が近年出現しているが、加工難度が上がってコストが上昇したり、少しの衝撃力で容易に壊れたりする等の理由で普及が進んでいない。
【先行技術文献】
【特許文献】
【０００３】
【特許文献１】特開２０１２−７５８４５
【考案の概要】
【考案が解決しようとする課題】
【０００４】
洗濯バサミの手でつまむ側の２つ端部は、大きく開いており、他の物体が近づいた際にその端部の先端  が引っかかったり、絡んだりして、利用上の不便が生じる事が多い。特に多数の洗濯バサミが取り付けられている洗濯物ハンガー等では、洗濯物ハンガーを折り畳んだ場合や複数の洗濯物ハンガーを重ねて保存する場合には、利用時に洗濯バサミが絡んで不便が生じる事が多かった。この様に洗濯バサミ同士や洗濯バサミと他の物が絡んで不便が生じる事がない様にする。
【０００５】
参考特許１は、これに対する解決策の１つを提示しているが、「紐状又は帯状の弾性のものを、ツマミ部分の内側に又は外側の後方に２つのツマミ部分の穴を通し、取り付け、洗濯バサミの２つのツマミ部分を連結させた、洗濯バサミ」では、「紐状又は帯状の弾性のもの」は容易に切れたり、折れたり可能性が有り、またこのやり方では依然として洗濯バサミのつまむ部分の端部は、やはり解放されたままで有り、引っ掛かったり絡んだりする可能性は残ったままである。
【０００６】
また、これとは別に洗濯バサミのつまむ部分の端部をくの字に曲げたり、端部を交差させたりする製品が出現しているが、加工コストが上がって価格が上昇したり、また容易に壊れる等の理由で普及が進んでいない。
【課題を解決するための手段】
【０００７】
洗濯バサミの物を挟む側の端部を残して、他の部分全部を覆う袋状のカバーを被せる。袋状のカバーは底部が開閉可能な構造となっており、開口部から洗濯バサミの物を挟む先端を出し、開閉可能な底部の隙間から、洗濯バサミに繋いだ金具を取り出して、洗濯物ハンガー等に洗濯バサミを取り付ける事で、洗濯バサミの用途を損なうことなく、洗濯バサミが他の物に引っ掛かったり絡んだりする事を防ぐ事ができる。
【考案の効果】
【０００８】
洗濯バサミにカバーを被せる事で、カバーは洗濯バサミの手でつまむ側の端部を覆い、手でつまむ側の２つの端部の間に物が侵入する事を防ぎ、結果として、この端部と他の物とが引っ掛かったり、絡んだりする事を防ぐ事ができる。また既存の洗濯物ハンガーに固着されている洗濯バサミにもカバーを被せる事で同様の効果をもたらす事ができ、既存の洗濯物ハンガーにも適応できる事で普及が促進される。
【図面の簡単な説明】
【０００９】
本考案における実施の例を示す。
【図１】本考案に係る袋状カバーの構造を示す図である。
【図２】本考案に係る袋状カバーを洗濯バサミに被せた状態を示す図である
【考案を実施するための形態】
【００１０】
以下に、本考案に係る絡まない洗濯バサミカバーの実施形態について、図面を参照して説明する。ただし、ここに説明するのは単なる例示であって、これによって本考案が限定されるわけではない。
【００１１】
洗濯バサミに付ける袋状のカバーの例。図1に袋カバー１の俯瞰図を示す。２及び３は袋状カバーの閉じた両サイドを構成し、４は袋状カバーの底部であるが、チャックやボタン等が取り付けられていて、開閉が可能な構造となっている。４は袋状カバーを洗濯バサミ７に被せる際には開き、洗濯バサミは開いたチャック４と開口部６を通って袋状カバーに収納される。袋状カバーに洗濯バサミを収納した後で、４に取り付けられたチャックやボタン等を用いて４は閉じられる。但し、洗濯バサミを洗濯物ハンガーに取り付ける金具８は４の端部若しくは中央の隙間から袋状カバーの外に出て、洗濯物ハンガーにつながる。つまり４に取り付けられたチャックやボタンは完全に閉まる必要はない。但し、袋状カバーに洗濯物ハンガーに取り付ける金具を取り出す為の専用の穴を設けて、４を完全に閉じる構造にする事もできる。尚、４にはチャック等の開閉に便利なようにチャック下部と呼ばれる余分な部分５を取り付けても良い。また４の部分にチャックを取り付ける替わりにチャックの位置に袋の他の部分より少し厚めの帯を取り付けて、洗濯物ハンガーに取り付け金具を通した後の袋の底部を厚めの帯の弾力で閉じる構造にしても良い。
【符号の説明】
【００１２】
１  袋状カバー
２  袋状のカバー閉じたサイド１
３  袋状カバーの閉じたサイド１と反対側の閉じたサイド２
４  袋状カバーの底部のチャック
５  袋状カバーのチャック下部
６  袋状カバーの開口部
７  洗濯バサミ
８  洗濯バサミを洗濯物ハンガーに取り付ける金具
【図１】
0003200423.tif 000003
【図２】
0003200423.tif 000004
【手続補正書】
【提出日】平成27年8月10日(2015.8.10)
【手続補正１】
【補正対象書類名】実用新案登録請求の範囲
【補正対象項目名】請求項１
【補正方法】変更
【補正の内容】
【請求項１】
洗濯バサミが他の洗濯バサミや他の物体と引っ掛かったり絡んだりするのを防止する為に、洗濯バサミに被せる袋状のカバーで、袋の底部にチャックやボタン若しくは厚手の帯を取り付けて、底部が開閉可能な構造の袋状のカバー。
(57)【要約】      （修正有）【課題】精神機能の改善や心肺機能の向上などの体にとって有益な発声への意欲を喚起する録音機を提供する。【解決手段】小型録音機を耳に取り付ける集音マイク部と体に付ける録音機部に分け、集音マイク部で集音された内容を録音部３に無線で送信し、受信部４で受信して録音時間を積算し、録音時間表示部５に表示する。電子カード挿入部６を設けることにより、電子カ−ドにも記録することができ他の再生機器で時間及び録音内容を再生することができる。【選択図】図２
0003200425.tif 000002
【実用新案登録請求の範囲】
【請求項１】
小型録音機を２つに分け、１つは、耳に取り付ける集音部であり、もう一つは、体に身につける小型の録音部であって前記録音部は、録音、録音時間の積算を行なう制御部と共に録音時間を表示する表示部を持ち、前記集音部と前記録音部は無線で繋がれ且つ前記録音部は電子カ−ドの挿入部を有し電子カ−ドにも記録できる制御部を持つことを特徴とする発声計セット。
【考案の詳細な説明】
【技術分野】
【０００１】  本考案は、自分の発した声の時間を録音し、その時間を積算していく録音機に関するものである。
【背景技術】
【０００２】  従来の録音機は、録音ができて録音時間を積算して表示する機能はあったが、常時両手を使わずに身につけて自分の発声時間を計ってくれる録音機はなかった。
【考案の概要】
【０００３】  集音マイクで自分の発声を拾い、録音機能と前記発声された録音時間を積算できる機能を併せ持つ機械に録音内容を送り、発声の録音時間の積算時間を表示させる機能を提供する。
【課題を解決するための手段】
【０００４】  本考案は、耳たぶに集音マイクを取り付け、録音機能と録音時間を積算し表示する機能を持ち且つ体に身に付けられる録音機に送信し、発声した者の発声時間が手軽に分かる機能を有するものである。
【考案の効果】
【０００５】  詩吟、音読、コミュニケ−ション、読経等は認知機能の改善、うつなどの精神機能の改善、心肺機能を高めるといった効果が認められている。ただ、そういう行為は改めて時間をとることが多く、手間がかかることから意欲的に取り組む人は少ない状況であると言える。本考案で、従来の小型録音機に、手軽さを付与し、漠然とした、発声の効果にはっきりとした時間の見える化を付け加えることによって、発声意欲の喚起を促し発声に取り組む人の増加を図り、その人達の認知、精神機能の改善、強化に役立つ。また、電子カ−ドにも記録することができ他の再生機器で再生できネットに繋ぎ、一定時間をクリアした人は、決められたポイントが貰えるなどの仕組みを構築することによって、新なゲ−ムを創出することもできる。さらに、思いついた瞬間に録音することで、メモ機能としても使える可能性がある。
【図面の簡単な説明】
【０００６】
【図１】発声計セットの耳たぶに取り付けられた集音マイク部
【図２】発声計セットの録音機能と録音時間を積算し表示する機能を持ち且つ体に身に付けられる小型の録音機能部
【考案を実施するための形態】
【０００７】  本考案は、耳たぶに自分が発声した時だけ作動する集音マイクを取り付け、録音機能と録音時間を積算し表示する機能を持ち且つ体に身に付けられる小型の録音機に送信し、発声した者の発声時間が手軽に分かる機能を有するものである。
【実施例】
【０００８】  以下添付図に従って、一実施例を説明する。１は、発声計セットのマイク部であり、２は耳たぶに付けるクリップと録音機に内容を送信する部分である。【０００９】  ３は、発声計セットの録音部であり、１のマイク部の送信機能から送信された内容を４の受信部で受信し、一定時間の録音の積算をし５の時間表示部で表示し、６に挿入された電子カ−ドに録音内容を記録できる。
【符号の説明】
【００１０】  １  発声計セットの集音マイク部
２  送信機能付きクリップ
３  発声計セットの録音部の録音機
４  受信部
５  録音時間表示部
６  電子カ−ド挿入部
【図１】
0003200425.tif 000003
【図２】
0003200425.tif 000004
(57)【要約】      （修正有）【課題】使用環境に最も適した機能成分を含有した段ボール製品を提供する。【解決手段】段ボール製品の用途に適した製剤やケミカル製品等の使用環境を良化する機能成分を紙紐Ｆに浸透凝着させ、その紐Ｆを中芯空洞部Ｅに挿入固定する、或は中芯空洞部Ｅ壁面に機能成分を塗布し凝着させる事により、大がかりな設備を導入する事無く、個別にその用途に最も適した成分を含有した段ボール製品となる。【選択図】図２
0003200447.tif 000002
【実用新案登録請求の範囲】
【請求項１】
段ボールの中芯空洞部に、使用環境を良化する機能成分が浸透凝着した細長い形状の紙紐等を挿入し、固定した事を特徴とした段ボール製品。
【請求項２】
段ボールの中芯空洞部壁面に、使用環境を良化する機能成分を塗布し凝着した事を特徴とした段ボール製品。
【考案の詳細な説明】
【技術分野】
【０００１】  本考案は、使用環境に最も適した機能成分を段ボール製品に含有させるものである。
【背景技術】
【０００２】  段ボール板紙は波状の中芯原紙に表ライナーと裏ライナーを糊で貼合し、断面が三角形のトラス構造を成して板状を保持している。
その中芯部三角形の内側は空洞になっている。（図１参照）
中芯原紙やライナーロール１巻の長さは数キロメートルに及ぶ事から紙質の頻繁な個別変更はロールごとの切り替えとなり、大がかりな設備と手間を要する。
【考案の開示】
【考案が解決しようとする課題】
【０００３】  段ボール製品は、リサイクル再生率が極めて高く、加工性や経済性にも優れている事から、近年では包装材以外に建築材、家具材、遊具材、教育材、インテリア材、避難所用材等、その用途も多様化の一途を辿っており、今後もその範囲は拡大するものと思慮される。
しかし、段ボール製品の多様化に対して、使用環境に適した機能成分を含有した紙を個別に使用する事は、コストや効率的な問題から事実上対応出来ず、やむを得ず殆ど同一素材で提供している。
【課題を解決する為の手段】
【０００４】  この課題を解決する為、請求項１の考案は、段ボール製品の用途に適した使用環境を良化する機能成分を紙筒や紙紐等に浸透凝着させ、その紐等を中芯空洞部に挿入し糊などで固定する。
この工夫により、用途に適した成分を含有した固有の段ボール製品となる。（図２参照）
【０００５】  また、請求項２の考案は、前記と同様に液化した使用環境を良化する機能成分を中芯空洞部壁面に塗布凝着させる事で、用途に適した成分を含有した固有の段ボール製品となる。（図３参照）
【０００６】  用途に適した機能成分の例として、壁材、インテリア材、避難所用材等には抗菌、脱臭、マイナスイオン発生等の機能成分、遊具には抗菌機能成分、生鮮食品包装材には抗菌、鮮度保持機能成分、多湿保管時は乾燥機能成分、等である。
【考案の効果】
【０００７】  本考案により、用途に適した機能成分を含有する板紙の選択使用が
１．小ロットの個別対応にも可能になる。
２．必要時の随時使用が可能になる。
３．機能成分の含有量調整が可能となる。
４．各機能成分の複合使用が可能となる。
等、種々の対応が可能となる事から、物品の保管性や流通性の向上と生活環境の改善に繋がり、僅かなコストで安全で快適な社会生活の構築に資するものである。
【考案を実施する為の最良の形態】
【０００８】  本考案に係る請求項１の形態は中芯空洞部に使用環境を良化する機能成分を浸透凝着させた細長い形状の紙筒や紙紐等を挿入し糊等で固定する、紐等の太さは空洞の内径より若干細くし、段ボールの形状や機能に支障をきたさぬようにする。
尚、紐等の素材はリサイクル性を考慮して紙製が望ましい。（図２参照）
【０００９】  本考案に係る請求項２の形態は中芯空洞部壁面に液化した使用環境を良化する機能成分を吹き付け等で塗布凝着させるものである。（図３参照）
【図面の簡単な説明】
【００１０】
【図１】段ボールの一般的構造の断面図である。
【図２】本考案の使用環境を良化する機能成分が浸透凝着した紙紐を中芯空洞部に挿入する斜視図である。
【図３】本考案の使用環境を良化する機能成分を中芯空洞部壁面に塗布凝着させる斜視図である。
【符号の説明】
【００１１】Ａ    表ライナー
Ｂ    裏ライナー
Ｃ    中芯
Ｄ    糊付け貼合部
Ｅ    中芯空洞部
Ｆ    機能成分の浸透凝着紙紐
Ｇ    固定糊付着部
Ｈ    挿入棒
Ｉ    スプレー容器
Ｊ    スプレーノズル
Ｋ    機能成分液
【図１】
0003200447.tif 000003
【図２】
0003200447.tif 000004
【図３】
0003200447.tif 000005
(57)【要約】【課題】  使用後に壁飾りや卓上飾りとして催し事の思い出とともに長期間保存できる豪華なチケットを提供する。【解決手段】  催し事と関連のあるデザイン模様が施されている表地１と、前記催し事と関連のある必要事項が印刷された裏地２との貼り合わせ地よりなるチケットであって、表地１は、催し事と関連のあるデザイン模様を複数色の糸で織り出した紋織物よりなるものとする一方、裏地２は、表地１の裏面を隠蔽する機能と表地１を補強する機能とを兼ね備えた印刷可能なシート地よりなるものとしてこの裏地２に催し事の関連事項が印刷してある。【選択図】図１
0003200448.tif 000002
【実用新案登録請求の範囲】
【請求項１】
催し事と関連のあるデザイン模様が施されている表地と、前記催し事と関連のある必要事項が印刷された裏地との貼り合わせ地よりなるチケットであって、前記した表地は、催し事と関連のあるデザイン模様を複数色の糸で織り出した紋織物よりなるものとする一方、前記裏地は、前記表地の裏面を隠蔽する機能と表地を補強する機能とを兼ね備えた印刷可能なシート地よりなるものとしてこの裏地に催し事の関連事項が印刷してあることを特徴とするチケット。
【請求項２】
紋織物よりなる表地が、金襴地、緞子地、綸子地のいずれかである請求項１に記載のチケット。
【請求項３】
裏地が紙、折り曲げ可能な木薄板、布地、不織布、プラスチックシートの何れかである請求項１または２に記載のチケット。
【請求項４】
表地と裏地のいずれか一方または双方に防水加工が施されている請求項１〜３のいずれかに記載のチケット。
【請求項５】
表地の一側より裏地に続く半券が分離可能に連設されている請求項１〜４のいずれかに記載のチケット。
【考案の詳細な説明】
【技術分野】
【０００１】  本考案は、入場券や招待券などのチケットに関するものである。
【背景技術】
【０００２】  入場券や招待券など各種のチケットは紙や不織布などの１枚のシート片に催し事と関連のある必要事項を印刷しただけのものを普通とする。（例えば、特許文献１を参照。）【０００３】  前記したような従来のチケットは、単純で興趣に乏しいうえに破損し易いものであるため、催し事がオリンピックのような世紀的行事や歌舞伎などの観劇、相撲観戦のような思い出深いものであっても、思い出とともに長期間保存しておくには相応しくないものであって、せいぜい写真とともにアルバムに挟んでおく程度で残りの殆どは捨てられてしまっている。
【先行技術文献】
【特許文献】
【０００４】
【特許文献１】  特開２０１３−１８２６１１号公報
【考案の概要】
【考案が解決しようとする課題】
【０００５】  本考案が解決しようとするところは前記のような問題をなくし、装飾的にも優れたものとして壁飾りや卓上飾りとして催し事の思い出とともに長期間保存できるようにした豪華なチケットを提供することを目的として完成されたものである。
【課題を解決するための手段】
【０００６】  前記したような課題を解決した本考案のチケットは、催し事と関連のあるデザイン模様が施されている表地と、前記催し事と関連のある必要事項が印刷された裏地との貼り合わせ地よりなるチケットであって、前記した表地は、催し事と関連のあるデザイン模様を複数色の糸で織り出した紋織物よりなるものとする一方、前記裏地は、前記表地の裏面を隠蔽する機能と表地を補強する機能とを兼ね備えた印刷可能なシート地よりなるものとしてこの裏地に催し事の関連事項が印刷してあることを特徴とするものを基本構成とする。【０００６】  なお、紋織物よりなる表地としては、金襴地、緞子地、綸子地などが一般的であり、また、裏地としては、折り曲げ可能な紙や木薄板、布地、不織布、プラスチックシートの何れかが一般的であり、さらに、表地と裏地のいずれか一方または双方に防水加工が施されているものや、表地の一側より裏地に続く半券が分離可能に連設されているものが好ましい。
【考案の効果】
【０００７】  前記したような本考案のチケットは、表面に催し事と関連のあるデザイン模様が施される一方、裏面には前記催し事と関連のある必要事項が印刷されているので従来のチケット同様の機能を果たすことは勿論であるが、特に、表地を催し事と関連のあるデザイン模様を複数色の糸で織り出した金襴地、緞子地、綸子地などの紋織物よりなるものとしたことにより、表面に催し事と関連のある凹凸感のある豪華なデザイン模様が現れて美麗なばかりでなく、使用前において催し事に対する関心が高まるうえ、使用後においては装飾的にも優れたものとして壁飾りや卓上飾りとして催し事の思い出とともに室内を飾ることができる。また、前記した表地はその裏面を隠蔽する機能と表地を補強する機能とを兼ね備えたシート地で裏打ちされた貼り合わせ地よりなるものであるので表地が紋織物であっても糸ほつれもなく長期耐用できる。【０００８】  また、裏地が折り曲げ可能な紙や木薄板、布地、不織布、プラスチックシートの何れかをもちいたときは多少大きめのものであっても携帯上便利であるうえに折り曲げても復元力があり、さらに、表地と裏地のいずれか一方または双方に防水加工を施したものは耐水性が増す上に一層強靱化される。なお、表地の一側より裏地に続く半券を分離可能に連設しておけば、使用後においても表地に傷や汚れが付くことがない。
【図面の簡単な説明】
【図１】  本考案の実施例を示す一部切欠表面図。
【考案を実施するための形態】
【０００９】  次に、本考案の好ましい実施の形態を図面に基づき説明する。
１は表地である。この表地１は催し事と関連のあるデザイン模様１１を複数色の糸で織り出した紋織物よりなるものであって、紋織物の代表的なものは日本古来の織物として代表的な金襴地、緞子地、綸子地があげられ、特に、金糸、銀糸を混織して表面に織り目の凹凸感を出したものは装飾的に特に好ましい。
【００１０】  ２は裏地である。この裏地２としては表地の裏面を隠蔽する機能と表地を補強する機能とを兼ね備えた印刷可能なシート地であれば、紙や木薄板、布地、不織布、プラスチックシート、金属シートなど特に限定されるものではないが、折り曲げ可能なものは携帯上便利であり、特に、和紙や和紙風の不織布や０．５ミリ以下に肉薄化した木薄板は、金襴地、緞子地、綸子地などの表地１に良くマッチするので特に好ましい。  そして、前記した表地１と裏地２とはホットメルト系の接着剤などの接着剤３によりラミネートされた貼り合わせ地としており、さらに、表地１と裏地２のいずれか一方または双方には透明なプラスチックスの吹きつけ加工などによる防水加工が施されており、この加工により表地１が紋織物であるにもかかわらず糸ほつれもなくなり、全体として長期耐用できるものとされている。また、この裏地２の片面には発行元、開催場所、その他前記催し事と関連のある通常の必要事項が印刷されている。
【００１１】  なお、裏地２は表地１と同寸であればよいが、図示例では裏地２の一側にチケットの半券分に相当する部分を切断線などの分離線２２を介して半券２１を延設してある。これは半券２１を分離線よりもぎ取ることが容易なうえにもぎ取り後においても綺麗な状態を保持できるようにするためである。
【符号の説明】
【００１２】１    表地
２    裏地
３    接着剤層
１１  デザイン模様
２１  半券
【図１】
0003200448.tif 000003
(57)【要約】      （修正有）【課題】簡単に設置でき且つ、のぼり旗の摩耗と巻きつきを軽減する事が出来るのぼり旗巻き上がり防止用品を提供する。【解決手段】のぼりチチ通し穴１が設けられており、１ｍｍ厚のプラスチック樹脂板からなる。のぼり旗を取付用ポールなどに通す際に、最下部のチチを通す時に、のぼりチチ通し穴１にチチを通してからポールに通す。強風の地域などの場合は重量を増すために、さらに連結用穴２を利用して結束バンド等で下にもう一枚連結する事も出来る。【選択図】図１
0003200411.tif 000002
【実用新案登録請求の範囲】
【請求項１】
のぼり巻き上がり用品として、従来の商品の様にプラスチック製で挟み込んで固定するのではなく、１ｍｍ樹脂板を使用し穴にのぼり旗のチチを通してぶら下げて使用する。
【考案の詳細な説明】
【考案の詳細な説明】
【技術分野】
【００１】この考案は、プラスチック樹脂板を利用した、のぼり旗巻き上がり防止用品に関する物である。
【背景技術】
【００２】従来プラスチック製で、のぼりポールなどに旗を固定する巻き上がり防止用品があった。
【考案が解決しようとする課題】
【００３】従来の物は次の様な問題点があった
（イ）プラスチック製で割れやすいものであった。
（ロ）ポールにのぼり旗のチチが固定されるので旗がよじれる事がある。
（ハ）ポールにチチが固定されるので、チチ部分の劣化が激しかった。
本考案は、これらの欠点を除くためになされたものである。
【課題を解決するための手段】
【００４】１ｍｍプラスチック樹脂板にすることで割れにくく安価な材料になる。
のぼり旗のチチ部分を通すだけなので、設置も簡単で固定しないのでのぼり旗がよじれたりしないため、のぼり旗の広告も読みやすさを保つことができる。風の強い地域では、複数枚を結束穴（小）にて結束して使用する事で重量を出し、より巻き上がりにくくすることができる。
【考案を実施するための形態】
【００５】以下、本案の実施の形態について説明する。
（イ）本商品の大きい穴にのぼり旗の最下部のチチを通す
（ロ）通常と同じ手順でのぼり旗を、のぼり取り付け用ポールにセットする。
（ハ）風強い等さらに強度が必要な場合は２枚を下部連結穴を利用し
【考案の効果】
【００６】本考案は、１ｍｍプラスチック樹脂板を使用し、設置が簡単でのぼり旗の劣化を回避して、巻き上がりを防止することができる。
【図面の簡単な説明】
【図１】本考案の正面図である。
【図２】本考案の側面図である。
【符号の説明】１  のぼりチチ通し穴    ２  連結用穴
【図１】
0003200411.tif 000003
【図２】
0003200411.tif 000004
【手続補正書】
【提出日】平成27年7月18日(2015.7.18)
【手続補正１】
【補正対象書類名】実用新案登録請求の範囲
【補正対象項目名】全文
【補正方法】変更
【補正の内容】
【実用新案登録請求の範囲】
【請求項１】
のぼりチチ通し穴が設けられており、
１ｍｍ厚のプラスチック樹脂板からなる
ことを特徴とするのぼり旗巻き上がり防止用品。
(57)【要約】      （修正有）【課題】小口の袋詰め作業にあって、包装物投入前の、樹脂製の袋を１枚ずつ、片手で、スムースに引きぬくことができる、包装袋の固定器を提供する。【解決手段】樹脂製の包装袋４の固定器であって、ボード３と、ボード３に装着された２本の鋼線バネ１とを有し、２本の鋼線バネ１が、ボード３の上に置かれた包装袋４の上からボード３に向かって包装袋４を押圧する。【選択図】図１
0003200420.tif 000002
【実用新案登録請求の範囲】
【請求項１】
２本の鋼線バネで袋の束を押圧してなる、樹脂製の包装袋の固定器。
【考案の詳細な説明】
【技術分野】
【０００１】少量多品種（小口）の包装物を樹脂製の袋で包装する傾向が著しい。例えば農産物や菓子パンなどである。今やほうれん草などの葉物野菜やねぎ、茄子などもポリプロピレン樹脂（ＯＰＰフィルム）の袋で包む時代になった。袋のフィルムが極薄でも強く、透明性に優れ、包装物を美しく見せる機能が評価されたことも一因である。【０００２】多くの農産物や菓子パンの包装は、大半が手作業で行われている。その工程は（１）袋の束を固定する（２）袋の束から袋１枚を引き抜く（３）その袋の口を開く（４）包装物を投入する（５）袋の口を閉じる、というものである。【０００３】本考案は、上記包装作業の工程の（１）（２）（３）の作業分野に関する。いずれも手間を要し、能率の向上が切望されている。
【背景技術】
【０００４】樹脂製の包装袋は滑りやすく、これを固定し続けなければならない。次いで順次１袋ずつ取り出すことになるが、この作業も袋の固定がきちんと整列されていることが前提となる
【考案の概要】
【考案が解決しようとする課題】
【０００５】課題の第一は、袋の固定である。袋は通常、１００枚を束にして販売（流通）されている。袋のフィルムの厚みは、約２０ミクロンである。従って、１００枚の束の厚みは、４ｍｍ（０．０２×２×１００）前後で、これを固定することになる。袋の表面は滑りやすく、積み上げが難しいので、工夫を要する。【０００６】課題の第二は、袋の束から１枚だけをスムースに引き抜きたい。実際の作業では、ややもすると一時に２枚以上を摘み出すことがある。【０００７】課題の第三は、引きぬいた袋の口を、スムースに開きたい。実際の作業では、極薄の袋の口開けは難しく、両手で行うことが多く、できれば片手で処理したい。
【課題を解決するための手段】
【０００８】請求項１の考案は、バネに連結した鋼線（図１−１）２本をボードに装着し、その鋼線の先端を用い、図１−４の袋の束をボードに押圧して固定する。【０００９】鋼線の先端は、袋を破損させないよう、丸みをもたせたり（図２−５、６）先端にナット状（図２−７）の部品を装着したりすることも有効である。【００１０】バネは図３−８で示すように、２本の鋼線の夫々に繋ぐのがよい。
【本考案の効果】
【００１１】本考案になる固定器を用いると、包装袋の固定と袋１枚のみの引き抜き、更には開口の作業を、片手で同時に行うことが可能になった。
【００１２】即ち、本考案になる固定器を用いた場合、図４のように、袋の表面を中指・薬指・小指の３本でおさえ、人差し指をずらすように圧しながら動かす（図４−９）と、まず袋の上面のフィルム１枚のみが移動して、鋼線の押圧から外れる。
【００１３】この現象は、図５のように、袋の下面のフィルムは、鋼線の先端（図５−７）に掴まれているので、自然に袋の口が開く（図５−１０）ことでもある。
【００１４】この状態で、包装物を投入することができるし、あるいは袋をすべて引きぬいた後、包装物を投入してもよい。
【図面の簡単な説明】
【００１５】
【図１】図１は、本考案になる包装袋の固定器の斜視図。
【図２】図２は、鋼線バネの先端の三例を示す。
【図３】図３は、包装袋を押圧し固定する、鋼線バネの上面図。
【図４】図４は、左手で固定した包装袋の、ずらし方を示す。
【図５】図５は、人差し指で袋の表面をずらした結果、袋の口が開いたことを示す。
【考案を実施するための形態】
【００１６】本考案の固定器に適合する樹脂袋は、素材がポリプロピレン樹脂で、ＯＰＰと呼称されるフィルムになる袋が望ましい。フィルムの厚みは、２０ミクロン以下がよい。袋の厚みが増すと、その腰が強く（硬く）なり、袋の表面のみ（フィルム１枚）を、指でずらすことが難しくなる。実際に流通している野菜等用の包装袋は、その大半が２０ミクロン以下である
【００１７】固定器の鋼線バネの先端の巾、即ち袋を押圧する巾は、４〜５ｃｍが望ましい。
【００１８】固定器の鋼線バネが、包装袋を押圧する位置は、袋の口から１〜２ｃｍあればよい。
【００１９】バネを装着する固定器のボード（板）の素材は、木やプラスチック、金属板を用いることができる。
【００２０】鋼線バネの径は、３ｍｍ前後がよい。
【００２１】鋼線バネの先端は、六角ナットを装着するのが有効であった。（図２−７）
【符号の説明】
【００２２】  １  …  鋼線のバネ
２  …  バネの収納ケース
３  …  固定器のボード
４  …  包装袋（束）
５  …  鋼線バネの先端を丸めた例。
６  …  鋼線バネの先端をアール型に丸めた例。
７  …  鋼線バネの先端にナットを装着した例。
８  …  巻きバネ。
９  …  移動の方向を示す。
１０  …  包装物の投入口
【図１】
0003200420.tif 000003
【図２】
0003200420.tif 000004
【図３】
0003200420.tif 000005
【図４】
0003200420.tif 000006
【図５】
0003200420.tif 000007
【手続補正書】
【提出日】平成27年7月28日(2015.7.28)
【手続補正１】
【補正対象書類名】実用新案登録請求の範囲
【補正対象項目名】全文
【補正方法】変更
【補正の内容】
【実用新案登録請求の範囲】
【請求項１】
樹脂製の包装袋（４）の固定器であって、ボード（３）と、前記ボード（３）に装着された２本の鋼線バネ（１）とを有し、前記２本の鋼線バネ（１）が、前記ボード（３）の上に置かれた前記包装袋（４）の上から前記ボード（３）に向かって前記包装袋（４）を押圧することを特徴とする包装袋（４）の固定器。
(57)【要約】      （修正有）【課題】巻き取り式イヤホンとバックのチャームを一体化させ、イヤホンをおしゃれに携帯、スムーズに使用する為のチャームを提供する。【解決手段】本体と、本体をバックの持ち手から吊り下げるための吊り紐２と、本体に内蔵されているコード巻き取り機６と、コード巻き取り機６に巻き取ることが出来るコード５と、コード５に接続されたイヤホン１、イヤホンプラグとを有することを特徴とする。熊キャラクターデザインの場合、使用時は左右の手から右耳用左耳用イヤホンをひっぱり出し、尾のイヤホンプラグを機械に装着し使用する。普段携帯する際にはバックのチャームとしておしゃれを楽しむ。【選択図】図１
0003200416.tif 000002
【実用新案登録請求の範囲】
【請求項１】
バックの持ち手に取り付けおしゃれを楽しむチャームに巻き取り式イヤホンの機能をつける巻き取り式イヤホンとチャームの一体化。
【考案の詳細な説明】
【考案の詳細な説明】
【技術分野】
【０００１】    この考案はバックに取り付けおしゃれを楽しむチャームと巻き取り式イヤホンを一体化させる。イヤホンをおしゃれ且つ便利に携帯し、使用時においてはコードも絡む事無くスムーズに利用できる巻き取り式イヤホンとチャームの一体型構造に係わる。
【背景技術】
【０００２】    従来、イヤホンコードの絡みを無くす目的の巻き取り式イヤホンが有り、フックによりバックに取り付ける事も可能でした。（特許文献１）【０００３】    また、巻き取り式イヤホンを収納袋に入れるタイプも開示されています。（特許文献２）
【先行技術文献】
【特許文献】
【０００４】
【特許文献１】実願平９−４２３０
【特許文献２】特開２０１２−２９１１８
【考案が解決しようとする課題】
【０００５】    特許文献１ではコードリールがむき出しであり、ファション性に欠けている。
【０００６】    特許文献２はバックの中に携帯する物である為、使用する際バックの中から探し出し使用しなければならない。電車内など体が安定していない場所での使用も多く考えられるイヤホンに於いては大変不便である。
【課題を解決するための手段】
【０００７】    本考案はバックの持ち手に取り付けるおしゃれ目的のチャームの内部に巻き取り式イヤホンを内蔵させるものであるから使用時はイヤホンをバックの中から探し出す事なく使用でき、携帯時にはおしゃれも楽しめる。
【考案実施の形態】
【０００８】    本考案を図１のようなキャラクターデザインのチャームに内蔵した場合、使用時は左右の手からイヤホンを引出し耳に装着、図５のようにしっぽ部分のイヤホンプラグを機械側に挿入する。
【０００９】    普段携帯する際には図３のようにバック持ち手にチャームとして取りつけおしゃれを楽しむ。
【００１０】    チャームのデザインに関しては多種多様である。図面熊のキャラクターデザインは一例である。
【考案の効果】
【００１１】    イヤホンを使用する環境として屋外を考えた時、不安定な体勢からバックの中を探りイヤホンを探し出す手間が無くなる
【００１２】  キャラクター両手からイヤホンを引き出せばコードも絡まる事無く耳に装着できる。
【００１３】  そのうえ携帯する際にはバックをおしゃれに飾ることもできるので、需要者の購買意欲も喚起できる。
【図面の簡単な説明】
【００１４】
【図１】  本考案断面図
【図２】  本考案左側面図
【図３】  本考案携帯時装着図
【図４】  本考案正面図
【図５】  本考案背面図
【符号の説明】
【００１５】  １はイヤホン
２は吊り紐
３はイヤホンプラグ
４はコード誘導体
５はコード
６はコード巻き取り機
【図１】
0003200416.tif 000003
【図２】
0003200416.tif 000004
【図３】
0003200416.tif 000005
【図４】
0003200416.tif 000006
【図５】
0003200416.tif 000007
【手続補正書】
【提出日】平成27年7月27日(2015.7.27)
【手続補正１】
【補正対象書類名】実用新案登録請求の範囲
【補正対象項目名】全文
【補正方法】変更
【補正の内容】
【実用新案登録請求の範囲】
【請求項１】
チャームであって、
本体と、
当該本体をバックの持ち手から吊り下げるための吊り紐（２）と、
当該本体に内蔵されているコード巻き取り機（６）と、
当該コード巻き取り機（６）に巻き取ることが出来るコード（５）と、
当該コード（５）に接続されたイヤホン（１）、イヤホンプラグ（３）
とを有することを特徴とする巻き取り式イヤホンと一体化されたチャーム。
(57)【要約】      （修正有）【課題】載せたミニチュア飛行機の落下を防止できる卓上ミニチュア飛行機台を提供する。【解決手段】金属製の卓上プレート台３に、Ｖ字型に曲げたピアノ線２を溶接、又はビスで取り付け、ピアノ線の先に磁石板１を接着剤、又はビスで取り付け、磁石板上に金属製のミニチュア飛行機を落下しない様に取り付ける。【選択図】図２
0003200418.tif 000002
【実用新案登録請求の範囲】
【請求項１】
卓上ミニチュア飛行機台、卓上プレート台に細い鉄棒、又はピアノ線を取り付け、その棒の先に磁石を取り付け、磁石上にミニチュア飛行機を載せ落下しない様に取り付け、卓上飾りミニチュア飛行機台にする。
【考案の詳細な説明】
【技術分野】
【０００１】本考案は、プレート台に支え棒を取り付け、その棒上に磁石を取り付け、その磁石上にミニチュア飛行機を載せた飾りミニチュア飛行機台。
【背景技術】
【０００２】ミニチュア飛行機を卓上に乗るように支え棒とプレート台を作成する。
【考案の概要】
【０００３】ミニチュア飛行機をプレートに載せる為に、支え棒をプレート台に取り付け、その支え棒上に磁石を取り付け、その磁石上にミニチュア飛行機を載せる。
【考案が解決しようとする課題】
【０００４】プレート板に支え棒を取り付け、その支え棒上にミニチュア航空機を載せ、落下しない様にする。
【課題を解決する為の手段】
【０００５】支え棒を加工し、その上に磁石を取り付け、その磁石上にミニチュア飛行機を載せる。
【考案の効果】
【０００６】ミニチュア飛行機を載せた支え棒は、卓上飾りミニチュア飛行機台にする。
【考案を実施するための形態】
プレート板に支え棒を取り付け、その上に磁石を取り付け、その上にミニチュア飛行機を載せる。
【実施例】
【０００７】プレート板に支え棒を載せ、その支え棒上に磁石を取り付け、その上にミニチュア飛行機を載せる。
【図面の簡単な説明】
【０００８】
【図１】プレート板を切断加工し、その上に支え棒を載せ、支え棒に磁石を取り付け、その磁石にミニチュア飛行機を載せる。
【図２】本考案の卓上模型飛行機をのせる支え棒詳細面図である。
【符号の説明】
【０００９】１  磁石
２  支え棒
３  プレート台
４  ネームプレート
【図１】
0003200418.tif 000003
【図２】
0003200418.tif 000004
【手続補正書】
【提出日】平成27年7月28日(2015.7.28)
【手続補正１】
【補正対象書類名】実用新案登録請求の範囲
【補正対象項目名】全文
【補正方法】変更
【補正の内容】
【実用新案登録請求の範囲】
【請求項１】
金属製の卓上プレート台に、Ｖ字型に曲げたピアノ線を取り付け、そのピアノ線の先に磁石板を取り付け、磁石板上に金属製のミニチュア飛行機を落下しない様に取り付け、プレート台とピアノ線に磁石板を取り付けたことを特徴とする卓上ミニチュア飛行機台。
(57)【要約】      （修正有）【課題】小さな紙類を保管する際に破損を防ぐため水濡れ、折れに強い封筒型小物入れを提供する。【解決手段】水濡れ、折れに強い素材に折り目を入れ、これにしたがって折り、サイドをウェルダー加工４で接着して封筒を作製する。フラップに切り込み２を入れボトムにも切り込み３を入れ、封筒を閉じる際に、ボトム部の切り込みをフラップ部の切り込みに通して、止めに利用する。【選択図】図２
0003200414.tif 000002
【実用新案登録請求の範囲】
【請求項１】
水濡れ、折れに強い素材に折り目（１）を入れ、作製時はこれにしたがって折り、サイドをウェルダー加工（４）で接着し封筒を作製する。
フラップに切り込み（２）を入れボトムにも切り込み（３）を入れ、封筒を閉じる際（３）を（２）に通して止めに利用できるよう設けた封筒型小物入れ。
【考案の詳細な説明】
【技術分野】
【０００１】この考案は水濡れに強い素材で作製した封筒型の小物入れに関するものである。
【背景技術】
【０００２】従来の紙で作った封筒は水濡れや折れに弱く、内容物の保護が難しかった。
【先行技術文献】
【特許文献】
【０００３】
【特許文献１】
【考案の概要】
【考案が解決しようとする課題】
【０００４】これは、次のような欠点があった。
特に小さな紙類（切手やカードなどのコレクションなど）の保管が必要な際、紙製の封筒では折れたり水濡れに弱いこともあり、これらに強い箱で管理するも場所をとり、中身の確認も蓋をあけて確認せねばならないため、置き場を忘れて、保管していた小さな紙類を紛失することが多々あった。
【課題を解決するための手段】
【０００５】水濡れと折れに強い素材を使って封筒を作製する。
本考案は以上の方法にて製作される防水素材で作製した封筒型小物入れである。
【考案の効果】
【０００６】素材が水濡れと折れに強い素材を使用しているため、中に収納した小さな紙類は傷む事無く保管できる。透明な素材を使用する事で内容物の確認も、封を開けること無くできるため、管理も容易になる。
【図面の簡単な説明】
【０００７】
【図１】本考案の展開図である。
【図２】本考案の完成形状図である。
【考案を実施するための形態】
【０００８】以下、本考案を実施するための形態について説明する。
水濡れ、折れに強い素材に折り目（１）を入れ、作製時はこれにしたがって折り、サイドをウェルダー加工（４）で接着し封筒を作製する。
フラップに切り込み（２）を入れボトムにも切り込み（３）を入れ、封筒を閉じる際（３）を（２）に通して止めに利用できるようにする。
本考案は以上のような構造である。
これを使用するときは、従来の紙の封筒同様に中に小物を入れて使用すればよい。
【符号の説明】
【０００９】１  折り目
２  フラップ部切り込み
３  ボトム部切り込み
４  ウェルダー加工
【図１】
0003200414.tif 000003
【図２】
0003200414.tif 000004
【手続補正書】
【提出日】平成27年8月1日(2015.8.1)
【手続補正１】
【補正対象書類名】実用新案登録請求の範囲
【補正対象項目名】請求項１
【補正方法】変更
【補正の内容】
【請求項１】
水濡れ、折れに強い素材に折り目（１）を入れ、これにしたがって折り、サイドをウェルダー加工（４）で接着し、封筒の形にしたうえでフラップ部切り込み（２）と、ボトム部切り込み（３）を入れて、閉じる際ボトム部切り込み（３）をフラップ部切り込み（２）に通して止めに利用できるよう設けた封筒型小物入れ。